【手続補正書】
【提出日】平成25年4月22日(2013.4.22)
【手続補正１】
【補正対象書類名】特許請求の範囲
【補正対象項目名】全文
【補正方法】変更
【補正の内容】
【特許請求の範囲】
【請求項１】
包装材料であって、
（Ａ）紙ベースの基板層；
（Ｂ）紙ベースのトップ層；及び
（Ｃ）前記紙ベースの基板層と前記紙ベースのトップ層の間に配置される断熱組成物であって、該断熱組成物は、充填剤、有機結合剤及び可塑剤を含む断熱組成物：
を含むことを特徴とする材料。
【請求項２】
前記充填剤は、前記断熱組成物の重量で少なくとも２０パーセントを備えることを特徴とする請求項１に記載の材料。
【請求項３】
前記有機結合剤は、前記断熱組成物の重量で１５％から７０％を備えることを特徴とする請求項２に記載の材料。
【請求項４】
さらに、防湿層を備え、前記防湿層は、紙ベースの基板層及び紙ベースのトップ層の少なくとも１つに配置されることを特徴とする請求項１に記載の材料。
【請求項５】
前記充填剤が、充填剤の総重量を基礎にして、
（ｉ）重量で０％〜９０％の量の無機充填剤；及び
（ｉｉ）重量で１０％〜１００％の量の有機充填剤
を含むことを特徴とする請求項１に記載の材料。
【請求項６】
前記充填剤が、充填剤の総重量を基礎にして、
（ｉ）重量で４０％〜９０％の量の無機充填剤；及び
（ｉｉ）重量で１０％〜６０％の量の有機充填剤
を含むことを特徴とする請求項１に記載の材料。
【請求項７】
前記断熱組成物が、合体した液滴、長手方向に延在した波状のストランド、又はそれらの組み合わせの形態で紙ベースの基板層及び紙ベースのトップ層の少なくとも１つに配置されることを特徴とする請求項１に記載の材料。
【請求項８】
前記断熱組成物は、組成物の総重量を基にして重量で最大で２０％のスターチ結合剤を含むことを特徴とする請求項１に記載の材料。
【請求項９】
前記スターチ結合剤は、スターチ結合剤の総重量を基にして、
（ｉ）重量で１０％〜５０％の量のゼラチン化されたスターチ；及び
（ｉｉ）重量で５０％〜９０％の量のゼラチン化されていないスターチ
を含むことを特徴とする請求項８に記載の材料。
【請求項１０】
前記スターチ結合剤は、スターチ結合剤の総重量を基にして、
（ｉ）重量で０％〜７０％の量のゼラチン化されたスターチ；及び
（ｉｉ）重量で３０％〜１００％の量のゼラチン化されていないスターチ
を含むことを特徴とする請求項８に記載の材料。
【請求項１１】
前記スターチ結合剤は、スターチ結合剤の総重量を基にして、
（ｉ）重量で５０％〜１００％の量のゼラチン化されたスターチ；及び
（ｉｉ）重量で０％〜５０％の量のゼラチン化されていないスターチ
を含むことを特徴とする請求項８に記載の材料。
【請求項１２】
前記断熱組成物が、組成物の総重量を基にして重量で少なくとも２０％のスターチ結合剤を含むことを特徴とする請求項１に記載の材料。
【請求項１３】
前記スターチ結合剤は、スターチ結合剤の総重量を基にして、
（ｉ）重量で１０％〜５０％の量のゼラチン化されたスターチ；及び
（ｉｉ）重量で５０％〜９０％の量のゼラチン化されていないスターチ
を含むことを特徴とする請求項１２に記載の材料。
【請求項１４】
前記断熱組成物は、さらに、ホウ砂を含むことを特徴とする請求項１に記載の材料。
【請求項１５】
前記断熱組成物は、組成物の全重量を基に重量で１％〜１５％の量のケイ酸ナトリウムを含むことを特徴とする請求項１に記載の材料。
【請求項１６】
前記断熱組成物は、ゼラチン化されていないスターチ及びケイ酸ナトリウムを含むことを特徴とする請求項１に記載の材料。
【請求項１７】
前記断熱組成物は、組成物の全重量を基にして、
（ｉ）重量で５％〜３２％の量のゼラチン化されていないスターチ；及び
（ｉｉ）重量で１％〜１５％の量のケイ酸ナトリウム
を含むことを特徴とする請求項１６に記載の材料。
【請求項１８】
前記断熱組成物は、組成物の総重量を基にして重量で２％〜５０％の量で充填剤としてセルロース固形物として含むことを特徴とする請求項１に記載の材料。
【請求項１９】
前記セルロース固形物は、少なくとも１００ミクロンの平均粒子サイズを有することを特徴とする請求項１８に記載の材料。
【請求項２０】
前記セルロース固形物は、セルロース繊維、木粉、木材粉塵、グルテン飼料、及びそれらの組み合わせからなるグループから選択される要素を含むことを特徴とする請求項１８に記載の材料。
【請求項２１】
前記セルロース固形物は、セルロース繊維を具備し、前記セルロース繊維は、２ｍｍよりも大きくない長さで且つ２５：１よりも大きくないアスペクト比により特徴付けられる請求項１８に記載の材料。
【請求項２２】
前記断熱組成物は、組成物の総重量を基にして重量で０．５％〜１％の量で充填剤としてコーン繊維を含むことを特徴とする請求項１に記載の材料。
【請求項２３】
前記充填剤は、セラミック空気含有粒子、パーライト粒子、及びそれらの組み合わせからなるグループから選択される絶縁粒子を含むことを特徴とする請求項１に記載の材料。
【請求項２４】
前記有機結合剤は、スチレン−ブタジエンポリマー、アクリックスチレンブタジエンラテックスポリマー、スターチ、ポリビニルアルコール、ポリビニルアセテート、及びそれらの組み合わせからなるグループから選択される要素を具備することを特徴とする請求項１に記載の材料。
【請求項２５】
前記断熱層の厚さが０．０５ｍｍ〜５ｍｍの範囲にあることにより特徴付けられる請求項１に記載の材料。
【請求項２６】
前記断熱組成物は、流体として前記紙ベースの基板層及び前記紙ベースのトップ層の少なくとも１つに付加され、前記流体は、０．０３〜０．５の範囲の疑似可塑性指数を有することを特徴とする請求項１に記載の材料。
【請求項２７】
前記断熱組成物は、流体として前記紙ベースの基板層及び前記紙ベースのトップ層の少なくとも１つに付加され、前記流体は、２０００〜５００００ｃｐｓの範囲の低せん断粘性及び１００〜５０００ｃｐｓの範囲の高せん断粘性を有することを特徴とする請求項１に記載の材料。
【請求項２８】
前記紙ベースの基板層の多孔率は、２０〜１５０ガーレー単位の範囲内にあることにより特徴付けられる請求項１に記載の材料。
【請求項２９】
前記紙ベースの基板の多孔率は、２０〜１５０ガーレー単位の範囲内にあることにより特徴付けられる請求項１に記載の材料。
【請求項３０】
請求項１に記載の前記包装材料を含む飲料用カップ。
【請求項３１】
請求項２に記載の前記包装材料を含む飲料用カップ。
【請求項３２】
請求項３に記載の前記包装材料を含む飲料用カップ。
【請求項３３】
断熱包装材料を準備する方法であって、以下のステップ、
（ｉ）第１の紙ベースの基板を提供するステップ；
（ｉｉ）コートされた構造を提供するために該第１の紙ベースの基板に流体断熱組成物を付加するステップであって、断熱組成物は、組成物の総重量を基にして以下のものを含むステップ；
（ａ）充填剤；
（ｂ）有機結合剤；
（ｃ）可塑剤；及び
（ｄ）水分
（ｉｉｉ）構造物を形成するために断熱組成物が第１の紙ベースの基板と第２の紙ベースの基板の間に配置されるように、第２の紙ベースの基板を前記断熱組成物にわたって付加するステップ；及び
（ｉｖ）前記構造物を乾燥するステップ
を具備することを特徴とする方法。
【請求項３４】
前記断熱組成物は、合体した液滴、長手方向に延在した波状のストランド、又はそれらの組み合わせの形態で前記第１の紙ベースの基板上に付加されることを特徴とする請求項３３に記載の方法。
【請求項３５】
前記充填剤が、充填剤の総重量を基にして、
（ｉ）重量で０％〜９０％の量の無機充填剤；及び
（ｉｉ）重量で１０％〜１００％の量の有機充填剤
を含むことを特徴とする請求項３３に記載の方法。
【請求項３６】
前記充填剤が、充填剤の総重量を基にして、
（ｉ）重量で４０％〜９０％の量の無機充填剤；及び
（ｉｉ）重量で１０％〜６０％の量の有機充填剤
を含むことを特徴とする請求項３３に記載の方法。
【請求項３７】
前記断熱組成物は、組成物の総重量を基にして重量で最大で２０％のスターチ結合剤を備えることを特徴とする請求項３３に記載の方法。
【請求項３８】
前記断熱組成物が、組成物の総重量を基にして重量で少なくとも２０％のスターチ結合剤を備えることを特徴とする請求項３３に記載の方法。
【請求項３９】
前記充填剤は、重量で少なくとも２０％の断熱組成物を具備することを特徴とする請求項３３に記載の方法。
【請求項４０】
前記有機結合剤は、重量で１５％〜７０％の断熱組成物を具備することを特徴とする請求項３３に記載の方法。
【請求項４１】
前記可塑剤は、前記組成物の０．５％〜１０％の重量分含まれることを特徴とする請求項１に記載の材料。
【請求項４２】
前記断熱組成物は、ボイド構造を含むことを特徴とする請求項１に記載の材料。
【請求項４３】
前記ボイド構造は、少なくとも幾つかの前記充填剤、前記有機結合材、及び前記可塑剤の間で空気空間を備えることを特徴とする請求項４２に記載の材料。
【請求項４４】
請求項４２の材料を含む飲料用カップ。
【請求項４５】
前記断熱組成物は、ランダムパターンで前記第１の紙ベースの基板に付加されることを特徴とする請求項１に記載の材料。
【請求項４６】
請求項４５の材料を含む飲料用カップ。
【請求項４７】
前記紙ベースの基板層及び紙ベースのトップ層は、それとともに関連した結合厚みを有し、且つ前記断熱組成物は、それとともに関連した厚みを有し、そしてここで、前記断熱組成物の厚みは、前記結合厚みの２０％〜１００％の範囲にあることを特徴とする請求項１に記載の材料。
【請求項４８】
前記断熱組成物は、前記紙ベースの基板を前記紙ベースのトップ層から距離を空けることを特徴とする請求項４７に記載の材料。
【請求項４９】
前記断熱組成物は、フォームを含むことを特徴とする請求項１に記載の材料。
【請求項５０】
前記フォームは、機械的に誘発されたことを特徴とする請求項４９に記載の材料。
【請求項５１】
前記フォームは、機械的に泡立てられたラテックスを含むことを特徴とする請求項４９に記載の材料。
【請求項５２】
前記フォームは、エマルションポリマー結合材及び発泡安定剤を含むことを特徴とする請求項４９に記載の材料。
【請求項５３】
請求項４９の材料を含む飲料用カップ。
【請求項５４】
前記充填剤は、不揃いな形状を有する粒子を含むことを特徴とする請求項１に記載の材料。
【請求項５５】
容器であって、
（Ａ）  第１表面を含む第１層；
（Ｂ）  第２表面を含む第２層であって、前記第１層及び前記第２層が、そこに関連される結合厚みを有する、第２層；及び
（Ｃ）  該第１表面と該第２表面の間に配置された断熱フォーム材料であって、断熱フォーム材料は、そこに関連される厚みを有し、
断熱フォーム材料のその厚みは、前記結合厚みの少なくとも２０パーセントである、断熱フォーム材料
を備えることを特徴とする容器。
【請求項５６】
前記フォーム材料は、ボイド構造を備えることを特徴とする請求項５５に記載の容器。
【請求項５７】
前記フォーム材料は、ランダムパターンで前記第１表面上に配置されることを特徴とする請求項５６に記載の容器。
【請求項５８】
前記フォーム材料は、機械的に泡立てられていることを特徴とする請求項５７に記載の容器。
【請求項５９】
前記フォーム材料は、充填剤を含むことを特徴とする請求項５５に記載の容器。
【請求項６０】
前記充填剤は、セルロース固形物を含むことを特徴とする請求項５９に記載の容器。
【請求項６１】
前記セルロース固形物は、セルロース繊維、木粉、木材粉塵、グルテン飼料、及びそれらの組み合わせからなるグループから選択される要素を含むことを特徴とする請求項６０に記載の容器。
【請求項６２】
前記セルロース固形物は、少なくとも１００ミクロンの平均粒子サイズを有することを特徴とする請求項６０に記載の容器。
【請求項６３】
前記セルロース固形物は、多くとも２５：１の平均アスペクト比により特徴付けられる請求項６２に記載の容器。
【請求項６４】
カップとして形成されることを特徴とする請求項５５に記載の容器。